(57)【要約】【課題】  取付杆部の強度向上並びに製作性の向上を追求すると共に、簡易構成によって操作ハンドルの操作性をも向上させた極めて実用的な雨樋受具を提供すること。【解決手段】  先細形状の帯板を採用して前記取付杆部３を構成すると共に、この帯板の両側縁部を立ち上げ折曲して断面略コ字形の取付杆部３に構成し、この取付杆部３を構成する帯板の基端部に前記取付板部13を一体成形し、この取付杆部３の先端部を上方へ折曲形成すると共に、この折曲先端部を略Ｔ字形に形成し、この略Ｔ字形の折曲先端部の左右の係止凸部９を前記被嵌体５に係止することで取付杆部３と被嵌体５とを固定して、前記操作ハンドル７の回動操作に際して被嵌体５が取付杆部３に対し前記スライド重合部４のスライド方向に移動不能となるように構成し、この取付杆部３の屈曲先端部の先端縁を、前記操作ハンドル７が圧接係止解除方向となる前記反対方向へ回動作動した際に当接してこの操作ハンドル７の過回動を阻止する回動ストッパ部８とする。【選択図】      図１
2006233707.tif 000002
【特許請求の範囲】
【請求項１】
雨樋を吊り下げ若しくは受支承する帯状の雨樋受杆部と、基端部に設けた取付板部を介して軒先に固定される帯状の取付杆部とから成り、この雨樋受杆部と取付杆部とをスライド自在に重合連結して雨樋受杆部を取付杆部に対しこの雨樋受杆部に吊り下げ若しくは受支承する雨樋の幅方向にスライド調整自在に設け、前記雨樋受杆部と前記取付杆部とのスライド重合部に、このスライド重合部よりも高さのある両側壁部を備えた断面略コ字形の被嵌体を前記雨樋受杆部側から被嵌し、この被嵌体の両側壁部間に取付軸を架設し、この取付軸に操作ハンドルを回動自在に枢着し、この操作ハンドルを回動することでスライド重合部の前記取付杆部を押圧して圧接係止する圧接部を操作ハンドルに設け、この操作ハンドルを回動して圧接部がスライド重合部を圧接すると、操作ハンドルの圧接部と前記被嵌体とが前記スライド重合部を挟持圧接係止してスライド重合部のスライド移動が阻止され、且つこの状態から操作ハンドルを反対方向に回動すると圧接部による圧接係止が解除されてスライド重合部がスライド可能となるように構成した雨樋受具において、先細形状の帯板を採用して前記取付杆部を構成すると共に、この帯板の両側縁部を立ち上げ折曲して断面略コ字形の取付杆部に構成し、この取付杆部を構成する帯板の基端部に前記取付板部を一体成形し、この取付杆部の先端部を上方へ折曲形成すると共に、この折曲先端部を略Ｔ字形に形成し、この略Ｔ字形の折曲先端部の左右の係止凸部を前記被嵌体に係止することで取付杆部と被嵌体とを固定して、前記操作ハンドルの回動操作に際して被嵌体が取付杆部に対し前記スライド重合部のスライド方向に移動不能となるように構成し、この取付杆部の屈曲先端部の先端縁を、前記操作ハンドルが圧接係止解除方向となる前記反対方向へ回動作動した際に当接してこの操作ハンドルの過回動を阻止する回動ストッパ部としたことを特徴とする雨樋受具。
【発明の詳細な説明】
【技術分野】
【０００１】
本発明は、屋根軒先に取り付けた雨樋の位置を軒先に対して接離調整することができる雨樋受具に関するものである。
【背景技術】
【０００２】
出願人は、この種の雨樋受具として特許第２９８１６１３号（特許文献１）を確保している。
【０００３】
【特許文献１】特許第２９８１６１３号公報
【発明の開示】
【発明が解決しようとする課題】
【０００４】
本発明は、この先願特許の改良に係るもので、取付杆部の強度向上並びに製作性の向上を追求すると共に、簡易構成によって操作ハンドルの操作性をも向上させた極めて実用的な雨樋受具を提供するものである。
【課題を解決するための手段】
【０００５】
添付図面を参照して本発明の要旨を説明する。
【０００６】
雨樋１を吊り下げ若しくは受支承する帯状の雨樋受杆部２と、基端部に設けた取付板部13を介して軒先に固定される帯状の取付杆部３とから成り、この雨樋受杆部２と取付杆部３とをスライド自在に重合連結して雨樋受杆部２を取付杆部３に対しこの雨樋受杆部２に吊り下げ若しくは受支承する雨樋１の幅方向にスライド調整自在に設け、前記雨樋受杆部２と前記取付杆部３とのスライド重合部４に、このスライド重合部４よりも高さのある両側壁部５Ａを備えた断面略コ字形の被嵌体５を前記雨樋受杆部２側から被嵌し、この被嵌体５の両側壁部５Ａ間に取付軸６を架設し、この取付軸６に操作ハンドル７を回動自在に枢着し、この操作ハンドル７を回動することでスライド重合部４の前記取付杆部３を押圧して圧接係止する圧接部７Ａを操作ハンドル７に設け、この操作ハンドル７を回動して圧接部７Ａがスライド重合部４を圧接すると、操作ハンドル７の圧接部７Ａと前記被嵌体５とが前記スライド重合部４を挟持圧接係止してスライド重合部４のスライド移動が阻止され、且つこの状態から操作ハンドル７を反対方向に回動すると圧接部７Ａによる圧接係止が解除されてスライド重合部４がスライド可能となるように構成した雨樋受具において、先細形状の帯板を採用して前記取付杆部３を構成すると共に、この帯板の両側縁部を立ち上げ折曲して断面略コ字形の取付杆部３に構成し、この取付杆部３を構成する帯板の基端部に前記取付板部13を一体成形し、この取付杆部３の先端部を上方へ折曲形成すると共に、この折曲先端部を略Ｔ字形に形成し、この略Ｔ字形の折曲先端部の左右の係止凸部９を前記被嵌体５に係止することで取付杆部３と被嵌体５とを固定して、前記操作ハンドル７の回動操作に際して被嵌体５が取付杆部３に対し前記スライド重合部４のスライド方向に移動不能となるように構成し、この取付杆部３の屈曲先端部の先端縁を、前記操作ハンドル７が圧接係止解除方向となる前記反対方向へ回動作動した際に当接してこの操作ハンドル７の過回動を阻止する回動ストッパ部８としたことを特徴とする雨樋受具に係るものである。
【発明の効果】
【０００７】
本発明は上述のように構成したから、断面略コ字形に形成した取付杆部自体の強度が非常に高い上、取付杆部の基端部に取付板部を一体成形したことで、先細形状の取付杆部の幅広な基端部に設けたことも相俟って別部品の取付板部を取付杆部の基端部に付設する場合に比べて強度的に有利となるので、信頼性が高く商品価値の高い雨樋受具となり、しかも、操作ハンドルの所謂ワンタッチ回動操作により雨樋受杆部を取付杆部に対して雨樋受杆部に吊り下げ若しくは受支承した雨樋の幅方向にスライド調整することも、所望位置に位置決め固定することも容易にできる上、この操作ハンドルは、回動ストッパ部により前記反対方向への回動作動に際して過回動が阻止されるために、この解除状態からスライド重合部を圧接係止状態（位置決め状態）とするまでの操作ハンドルの回動操作が僅かな回動範囲で良いこととなり、更に、取付杆部に一体成形した係止凸部で取付杆部を被嵌体と固定するため、圧接部によるスライド重合部の圧接係止回動操作時に雨樋受杆部と取付杆部との調整設定位置がズレることなく、正確な位置調整が可能となるなど、極めて操作性に秀れ、また、本発明は、取付杆部を構成する帯板の両側縁部を立ち上げ折曲するだけで強度の高い取付杆部を構成可能であるし、例えば、取付杆部を構成する帯板の基端部を所定形状にカットすることで前記取付板部を構成でき、尚且つ、操作ハンドルの過回動を阻止する前記回動ストッパと、取付杆部を被嵌体へ固定するための前記係止凸部とは取付杆部の先端部を上方へ折曲形成すると共に、この折曲先端部を略Ｔ字形に形成することだけで構成できるため、これらの構成は簡易に設計実現可能な構成であり、量産性に秀れるなど、極めて実用性に秀れた画期的な雨樋受具となる。
【発明を実施するための最良の形態】
【０００８】
好適と考える本発明の実施形態（発明をどのように実施するか）を、図面に基づいて本発明の作用を示して簡単に説明する。
【０００９】
本発明は、取付杆部３（帯板）の両側縁部を立ち上げ折曲して断面略コ字形杆に形成したことによって、この取付杆部３が補強されて非常に高い強度を発揮するので、この取付杆部３が簡単に折れ曲がったり破損したりすることがなく、信頼性が高い。また、この補強構造は、簡易に構成可能な構造であり、製作容易で量産性に秀れる。
【００１０】
また、先細形状の取付杆部３は、前記両側の立ち上げ片３Ａによって補強されるために、先端部を可及的に幅狭く形成して材料コストを抑えることができ、それでいて、軒先に固定される基端部側（取付板部13）側を強度向上のために幅広とすることができる。
【００１１】
しかも、取付板部13を取付杆部３の基端部に一体成形したため、別部品の取付板部13を取付杆部３の基端部に付設する場合に比べて強度的に有利であると共に、例えば、取付杆部３を構成する帯板の基端部を所定形状にカットすることでこの取付板部13は構成できるため、別部品で形成した取付板部13を取付杆部３に後付するような構成に比して製作容易となり、量産性に秀れる。
【００１２】
本発明の使用方法について説明する。
【００１３】
屋根軒先に取付杆部３を固定して本発明品を軒先に例えば等間隔毎に取り付ける。
【００１４】
そして、雨樋受杆部２に雨樋１を吊り下げ若しくは受支承することで、雨樋１を軒先に固定できる。
【００１５】
また、雨樋受杆部２と取付杆部３とのスライド重合部４をスライド調整することで、雨樋１の位置を軒先に対して接離調整することができ、この際、被嵌体５の両側側壁部５Ａ間に架設した取付軸６を介して操作ハンドル７を回動操作することにより、スライド重合部４をスライド阻止・解除操作できる。
【００１６】
具体的には、操作ハンドル７を回動操作して操作ハンドル７の圧接部７Ａで被嵌体５が被嵌しているスライド重合部４の取付杆部３を押圧して圧接すると、この圧接部７Ａと被嵌体５とがスライド重合部４を挟持圧接係止してスライド重合部４のスライド移動が阻止され、この移動阻止状態から操作ハンドル７を反対方向に回動すると、圧接部７Ａによる圧接係止が解除されてスライド重合部４がスライド可能となる。
【００１７】
また、この際、この取付杆部３の略Ｔ字形の折曲先端部の左右の係止凸部９が前記被嵌体５に係止して取付杆部３と被嵌体５とを固定したため、前記操作ハンドル７の回動操作に際して被嵌体５が取付杆部３に対し前記スライド重合部４のスライド方向に移動不能となる。
【００１８】
従って、操作ハンドル７の回動操作に伴って被嵌体５が移動してしまう構成であると、この移動する被嵌体５と共に雨樋受杆部２若しくは取付杆部３も移動して、予め設定したスライド調整位置がずれて正確な位置調整が行われないという問題を生じる場合があるが、本発明においては、このような問題は生じず、確実に正確な位置調整を行うことができ、非常に実用的となる。
【００１９】
また、圧接係止解除状態の操作ハンドル７は、回動ストッパ部８により圧接係止解除方向となる前記反対方向への回動作動に際して過回動が阻止されるため、この圧接係止解除状態（スライド調整可能状態）から、前記圧接部７Ａによる前記スライド重合部４の圧接係止状態（位置決め状態）とするまでの操作ハンドル７の回動操作範囲が小範囲となり、これにより無駄な操作ハンドル７の回動操作をすることなく、僅かな回動操作でスライド重合部４を圧接係止状態にできることとなる。
【００２０】
従って、操作ハンドル７の所謂ワンタッチ回動操作により雨樋受杆部２を取付杆部３に対して雨樋受杆部２に吊り下げ若しくは受支承した雨樋１の幅方向にスライド調整することも、所望位置に位置決め固定することもできるから、雨樋１の軒先に対する固定位置を接離調整することが極めて容易に行い得ることになり、しかも、この操作ハンドル７の回動操作には無駄がないなど、極めて操作性に秀れ、実用性に秀れた画期的な雨樋受具となる。
【００２１】
また、本発明においては、前記回動ストッパ部８も前記係止凸部９も、取付杆部３の先端部に一体成形される構成であるため、この構成は簡易に設計実現可能な構成であり、製作容易で量産性に秀れる。
【実施例１】
【００２２】
本発明の具体的な実施例１について図１〜図４に基づいて説明する。
【００２３】
本実施例の雨樋受具は、雨樋１を吊り下げ若しくは受支承する帯状の雨樋受杆部２と、軒先に固定される帯状の取付杆部３とから成り、この雨樋受杆部２と取付杆部３とをスライド自在に重合連結して雨樋受杆部２を取付杆部３に対しこの雨樋受杆部２に吊り下げ若しくは受支承する雨樋１の幅方向にスライド調整自在に設けている。
【００２４】
また、本実施例では、前記雨樋受杆部２と取付杆部３とのスライド重合部４にこのスライド重合部４の重合高さよりも高さのある両側壁部５Ａを備えた断面コ字状の被嵌体５を被嵌している。
【００２５】
具体的には、スライド重合部４は、雨樋受杆部２の上に取付杆部３をスライド可能に重合した場合を示している。
【００２６】
雨樋受杆部２は、図１〜図３に示すように帯板を採用して構成し、その先端部を上方へ立設状態に折曲形成して、この帯板の折曲先端部を雨樋１の一端部（建物に対して外側の端部）を掛止する一側掛止部２Ａとし、平坦面部分を雨樋受杆部２側のスライド重合部４とし、基端部を雨樋１の他端部を掛止する他側掛止部２Ｂとしている。
【００２７】
また、この雨樋受杆部２の基端部には、略逆Ｕ字形を呈する押え板20を固定（図面ではリベット止）し、この押え板20により他側掛止部２Ｂに掛止した雨樋１の他端部が簡単に抜脱しないように構成している。
【００２８】
一方、取付杆部３も帯板を採用して構成し、図３に示すように、その先端側の少範囲部分を図示正面側より見て凹状に折曲形成し、この凹状部分30の底部平坦面部分を、取付杆部３側のスライド重合部４として、この取付杆部３の凹状部分30の底部平坦面を雨樋受杆部２側のスライド重合部４にスライド自在に重合した構成としている。
【００２９】
また、この取付杆部３側のスライド重合部４（凹状部分30の底部平坦面）の形成範囲（取付杆部３の長さ方向を前後方向とした際の前後長さ幅）を、雨樋受杆部２側のスライド重合部４の形成範囲に対し１／３程度となるように設定して、この取付杆部３に対する雨樋受杆部２の前後スライド移動範囲を確保している。
【００３０】
また、この取付杆部３は、平面視先細形状の帯板を採用し、この帯板の左右両側縁部を立ち上げ折曲して断面略コ字形杆に形成すると共に、この取付杆部３の幅広基端部に取付板部13を一体成形している。
【００３１】
更に詳しくは、板材から基端部左右に方形板部を有する先細形状の帯板を切り出し形成し、この帯板の左右両側縁部を立ち上げ折曲すると共に、この基端部左右の方形板部を立ち上げ片３Ａの立ち上がり方向と略直交する方向に屈曲形成して、この左右の方形板部を取付板部13としている。図中符号13Ａは取付板部13に形成した釘孔であって、この釘孔13Ａを介して軒先の鼻隠し等に釘を打ち込み取付杆部３を軒先に固定する。
【００３２】
本実施例では、この雨樋受杆部２の左右両側縁にこの雨樋受杆部２上で重合スライドする取付杆部３のスライドガイドとなるガイド部２Ｃを立設し、この左右両側に立設するガイド部２Ｃが取付杆部３の左右両側縁を挟み込み係止して雨樋受杆部２に対し取付杆部３を水平左右方向にガタつかない状態で前後スライド可能に構成している。
【００３３】
更に詳しくは、雨樋受杆部２の先端折曲部と、基端部とを除いた左右両側縁を上方へ立設状態に折曲し、この両側折曲片を前記ガイド部２Ｃとしている。このように、ガイド部２Ｃは単に雨樋受杆部２の両側縁を上方へ折曲するだけで構成したため、この構成は簡易に設計実現可能であると共に、このガイド部２Ｃによって雨樋受杆部２自体の強度も向上することになる。
【００３４】
本実施例は、このスライド重合部４の下方から、即ち雨樋受杆部２の下方から前記被嵌体５を被嵌している。
【００３５】
このスライド重合部４に被嵌した被嵌体５の左右両側壁部５Ａ間に取付軸６を架設し、被嵌体５の中間板面の上面である当接面部５Ｂと取付軸６との間にスライド重合部４が配されるように構成している。そしてこの取付軸６に操作ハンドル７を回動自在に枢着している。
【００３６】
また、この操作ハンドル７を回動することでスライド重合部４を圧接係止する圧接部７Ａを操作ハンドル７に設けている。
【００３７】
操作ハンドル７は、一枚の板材を略Ｌ字状に折曲形成して構成しているもので、図３に示すように、板材の中間折曲部を境にした一側部を操作用の摘まみ片部７Ｃとする一方、この操作ハンドル７を構成する板材の他側部の先端部を断面コ字状に形成し、このコ字板部の両側突出板を取付板部７Ｂとして前記取付軸６に枢着している。
【００３８】
圧接部７Ａによるスライド重合部４の圧接係止構造は、前記両側の取付板部７Ｂの一部をカム形状とし、このカム部を圧接部７Ａとしている。また、図３に示すように、摘まみ片部７Ｃを図面右下方向に倒して操作ハンドル７を回動操作すると圧接部７Ａがスライド重合部４（取付杆部３上面）に圧接し、この圧接部７Ａと前記被嵌体５の中間当接面部５Ｂとが前記スライド重合部４を挟持圧接係止してスライド重合部４のスライド移動が阻止されるように構成している。
【００３９】
また、このスライド阻止状態から操作ハンドル７を反対方向（図２〜図４における左側）に約４５度程回動して摘まみ片部７Ｃを起こすことができるように構成し、これによって圧接部７Ａによるスライド重合部４の圧接係止が解除されてスライド重合部４がスライド可能となるように圧接部７Ａの隣接部の形状を設定構成している。
【００４０】
また、本実施例では、この取付杆部３の上方への折曲先端部の先端縁を、前記操作ハンドル７が前記反対方向へ回動作動した際に係止してこの操作ハンドル７の過回動を阻止する回動ストッパ部８とし、一方、操作ハンドル７の他側端部に回動ストッパ部８に当接係止する当接片７Ｄを一体的に突設して、前記スライド阻止状態の回動ハンドル７は、この当接片７Ｄが回動ストッパ部８に当接係止するまで、約４５度回動範囲で回動し得るように構成している（図４参照。）。
【００４１】
即ち、単に操作ハンドル７を約４５度程度の範囲内で回動操作するだけのワンタッチ操作で、雨樋受杆部２を取付杆部３に対して雨樋受杆部２に吊り下げ若しくは受支承した雨樋１の幅方向にスライド調整自在とすることも、スライド不能に位置決め係止することもできるから、軒先に対する雨樋１の固定位置を極めて容易に接離調整することができる。
【００４２】
また、本実施例の操作ハンドル７は、単に一枚の板材を折曲形成するだけの構成のために、簡易に設計実現可能であり量産性に秀れ安価に構成できる。
【００４３】
従って、本実施例では、スライド重合部４の取付杆部３に圧接する二箇所の圧接部７Ａと被嵌体５の中間当接面部５Ｂとでスライド重合部４を上下から挟持圧接するから、この挟持圧接係止状態が非常に安定的に保持され、雨樋受杆部２に対して取付杆部３を確実に位置決め固定できることになる構成としている。
【００４４】
また、図面の被嵌体５は、左右両側壁部５Ａの上縁部を緩やかな凸湾曲状縁に形成し、操作ハンドル７の回動操作の際に指がこの両側壁部５Ａの上縁に触れても怪我をしないようにしている。
【００４５】
また、本実施例では、図３に示すように前記雨樋受杆部２の下面に、スライド重合部４の前後スライド方向に所定間隔を置いて複数の係合凹部10を並設する一方、図６に示すようにこの係合凹部10に係止し得る係止突部11を被嵌体５の中間当接面部５Ｂの上面複数箇所（図面では二箇所）に形成し、この係合凹部10と係止突部11とが係止することにより、スライド重合部４が重合位置決めされるように構成している。
【００４６】
具体的には、単に雨樋受杆部２の下面を上方へ凹設して係合凹部10を形成している。また、中間当接面部５Ｂの下面を上方へ凹設することで中間当接面部５Ｂの上面に上方へ突設する係止突部11を形成している。従って、この係合凹部10と係止突部11との係止によりスライド重合部４が圧接係止状態において位置ズレすることなく非常に高い位置決め強度で固定されることになるから、非常に実用的となり、しかも、この係合凹部10並びに係止突部11構造は簡易に設計実現可能な構成であり、量産性に秀れ安価に構成できる。
【００４７】
また、本実施例では、前記取付杆部３の屈曲先端部を正面（取付杆部３の先端側）から見て略Ｔ字形に一体成形し、この略Ｔ字形の折曲先端部の左右の係止凸部９を前記被嵌体５に係止することで取付杆部３と被嵌体５とを固定して、前記操作ハンドル７の回動操作に際して被嵌体５が取付杆部３に対し前記スライド重合部４のスライド方向に移動不能となるように構成している。
【００４８】
具体的には、被嵌体５の左右両側壁部５Ａの夫々の前側寄りの位置に係止窓15を形成して、この左右の係止窓15に前記取付杆部３先端部左右の係止凸部９を係止している。
【００４９】
従って、この係止凸部９を係止窓15に係止して被嵌体５と取付杆部３とを一体化することにより、前記操作ハンドル７の回動操作に際して、被嵌体５が取付杆部３に対し前記スライド重合部４のスライド方向に移動し得ない状態に保持される構成としている。
【００５０】
一方、雨樋受杆部２に対しても取付杆部３に対しても被嵌体５が固定されていない構成の場合、操作ハンドル７を回動操作すると、圧接部７Ａの取付杆部３の上面に対する圧接部位の変化に伴って、被嵌体５も取付杆部３に対して取付板部13方向に向かって移動してしまう。
【００５１】
してみると、被嵌体５の位置がずれることで取付杆部３に対し前記係合凹部10と係止突部11とにより凹凸係止している雨樋受杆部２も位置がずれてしまうという問題が生じる。
【００５２】
しかし本実施例にあっては、上記したように操作ハンドル７を回動操作しても被嵌体５がスライド重合部４のスライド方向に移動しないから、このような欠点を生じることのない秀れた構成となる。
【実施例２】
【００５３】
本発明の具体的な実施例２について図５に基づいて説明する。
【００５４】
本実施例は、前記実施例１に対して吊り下げする雨樋１の種類が異なり、これに応じて雨樋受杆部２の先端の一側掛止部２Ａの構成を異ならせた場合であって、その他の構成は、若干デザインが異なるものもあるが前記実施例１と同様である。
【００５５】
尚、本発明は、実施例１，２に限られるものではなく、各構成要件の具体的構成は適宜設計し得るものである。
【図面の簡単な説明】
【００５６】
【図１】実施例１を示す斜視図である。
【図２】実施例１の使用状態を示す側面図である。
【図３】実施例１の一部を切欠した説明側面図である。
【図４】実施例１の操作ハンドルの過回動が阻止される構造を示した部分拡大説明図である。
【図５】実施例２の使用状態を示す側面図である。
【符号の説明】
【００５７】
１  雨樋
２  雨樋受杆部
３  取付杆部
４  スライド重合部
５  被嵌体
５Ａ  側壁部
６  取付軸
７  操作ハンドル
７Ａ  圧接部
８  ストッパ部
９  係止凸部
13  取付板部
【図１】
2006233707.tif 000003
【図２】
2006233707.tif 000004
【図３】
2006233707.tif 000005
【図４】
2006233707.tif 000006
【図５】
2006233707.tif 000007